(57)【特許請求の範囲】
【請求項１】
基地局装置と通信する端末装置であって、
所定数以上の複数のアンテナポートから送信される複数のチャネル状態情報参照信号を受信し、チャネル状態情報プロセスに関する設定情報を上位層のシグナリングにより受信する受信部と、
前記複数のチャネル状態情報参照信号に対応するチャネル状態情報を報告する送信部と、を備え、
前記チャネル状態情報プロセスに関する設定情報は、第１の複数のベクトル及び第２の複数のベクトルが合成される際の複素重みを示す情報を前記チャネル状態情報に含めることを示し、
前記チャネル状態情報は、前記第１の複数のベクトルおよび前記第２の複数のベクトルを示し、前記第１の複数のベクトルの次元は、前記第２の複数のベクトルの次元と異なり、
前記チャネル状態情報プロセスに関する設定情報に基づいて、前記チャネル状態情報は、前記第１の複数のベクトルおよび前記第２の複数のベクトルに対する複数の複素重みを示す
端末装置。
【請求項２】
端末装置と通信する基地局装置であって、
所定数以上の複数のアンテナポートから送信される複数のチャネル状態情報参照信号を送信し、チャネル状態情報プロセスに関するに関する設定情報を上位層のシグナリングにより送信する送信部と、
前記複数のチャネル状態情報参照信号に対応するチャネル状態情報を受信する受信部と、を備え、
前記チャネル状態情報プロセスに関する設定情報は、第１の複数のベクトル及び第２の複数のベクトルが合成される際の複素重みを示す情報を前記チャネル状態情報に含めることを示し、
前記チャネル状態情報は、前記第１の複数のベクトルおよび前記第２の複数のベクトルを示し、前記第１の複数のベクトルの次元は、前記第２の複数のベクトルの次元と異なり、
前記チャネル状態情報プロセスに関する設定情報に基づいて、前記チャネル状態情報は、前記第１の複数のベクトルおよび前記第２の複数のベクトルに対する複数の複素重みを示す
基地局装置。
【請求項３】
基地局装置と通信する端末装置に用いられる通信方法であって、
所定数以上の複数のアンテナポートから送信される複数のチャネル状態情報参照信号を受信するステップと、
チャネル状態情報プロセスに関するに関する設定情報を上位層のシグナリングにより受信するステップと、
前記複数のチャネル状態情報参照信号に対応するチャネル状態情報を報告するステップと、を備え、
前記チャネル状態情報プロセスに関する設定情報は、第１の複数のベクトル及び第２の複数のベクトルが合成される際の複素重みを示す情報を前記チャネル状態情報に含めることを示し、
前記チャネル状態情報は、前記第１の複数のベクトルおよび前記第２の複数のベクトルを示し、前記第１の複数のベクトルの次元は、前記第２の複数のベクトルの次元と異なり、
前記チャネル状態情報プロセスに関する設定情報に基づいて、前記チャネル状態情報は、前記第１の複数のベクトルおよび前記第２の複数のベクトルに対する複数の複素重みを示す
通信方法。
【請求項４】
端末装置と通信する基地局装置に用いられる通信方法であって、
所定数以上の複数のアンテナポートから送信される複数のチャネル状態情報参照信号を送信するステップと、
チャネル状態情報プロセスに関するに関する設定情報を上位層のシグナリングにより送信するステップと、
前記複数のチャネル状態情報参照信号に対応するチャネル状態情報を受信するステップと、を備え、
前記チャネル状態情報プロセスに関する設定情報は、第１の複数のベクトル及び第２の複数のベクトルが合成される際の複素重みを示す情報を前記チャネル状態情報に含めることを示し、
前記チャネル状態情報は、前記第１の複数のベクトルおよび前記第２の複数のベクトルを示し、前記第１の複数のベクトルの次元は、前記第２の複数のベクトルの次元と異なり、
前記チャネル状態情報プロセスに関する設定情報に基づいて、前記チャネル状態情報は、前記第１の複数のベクトルおよび前記第２の複数のベクトルに対する複数の複素重みを示す
通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、基地局装置（基地局、送信局、送信点、下りリンク送信装置、上りリンク受信装置、送信アンテナ群、送信アンテナポート群、コンポーネントキャリア、eNodeB）あるいは基地局装置に準じる送信局がカバーするエリアをセル（Cell）状に複数配置するセルラ構成とすることにより、通信エリアを拡大することができる。このセルラ構成において、隣接するセルまたはセクタ間で同一周波数を利用することで、周波数利用効率を向上させることができる。【０００３】
周波数利用効率の改善には、複数の送信アンテナと受信アンテナを用いた多重入力多重出力（Multiple Input Multiple Output: MIMO）技術が有効である。また、ＭＩＭＯ技術が提供する周波数利用効率は、一般的に、用いられるアンテナ数に比例する。そのため、ＬＴＥ−Ａｄｖａｎｃｅｄでは、送信アンテナポート数として１６までをサポートすることが仕様化されている（非特許文献１）。【０００４】
近年では、次世代移動通信システムが検討されている。次世代移動通信システムでは、非特許文献２に記載されているように、多数のアンテナを備えるＭａｓｓｉｖｅ  ＭＩＭＯ（Multiple Input Multiple Output）やＦｕｌｌ  Ｄｉｍｅｎｓｉｏｎ（FD）  ＭＩＭＯと呼ばれる技術が検討されている。Ｍａｓｓｉｖｅ  ＭＩＭＯやＦＤ  ＭＩＭＯでは、ビームフォーミングにより大容量伝送やスループットの向上が期待できる。また、ＭＩＭＯ技術の周波数利用効率の改善には、基地局装置が把握可能なチャネル状態情報（Channel state information: CSI）の精度の向上が有効である。例えば、端末装置が基地局装置へフィードバックするＣＳＩ報告の精度の向上が有効である。
【先行技術文献】
【非特許文献】
【０００５】
【非特許文献１】３ＧＰＰ、ＴＳ３６．２１３、２０１６年６月。
【非特許文献２】Ｓａｍｓｕｎｇ、“Ｅｎｈａｎｃｅｍｅｎｔｓ  ｏｎ  Ｆｕｌｌ−Ｄｉｍｅｎｓｉｏｎ  （ＦＤ）  ＭＩＭＯ  ｆｏｒ  ＬＴＥ、”  ＲＰ−１６０６２３、２０１６年３月。
【発明の概要】
【発明が解決しようとする課題】
【０００６】
しかしながら、新しいＣＳＩ報告を導入することは、基地局装置および端末装置が新しい機能を備えることを意味しており、その複雑性が増してしまう。また、近年、通信システムは後方互換性を備えることが必須と考えられてきているから、通信システムは、新しいＣＳＩ報告を行なう装置と、既存のＣＳＩ報告を行なう装置と、の両方を収容できなければならない。【０００７】
本発明はこのような事情に鑑みてなされたものであり、その目的は、ＣＳＩ報告の精度を向上させた場合であっても、複雑性の増加を抑えつつ、スループットや通信品質を改善することができる基地局装置、端末装置および通信方法を提供することにある。
【課題を解決するための手段】
【０００８】
上述した課題を解決するための、本発明の一態様に係る基地局装置、端末装置および通信方法の構成は、次の通りである。【０００９】
（１）本発明の一態様に係る端末装置は、基地局装置と通信する端末装置であって、チャネル状態情報参照信号（CSI-RS）およびチャネル状態情報（CSI）報告の設定情報を前記基地局装置から受信する受信部と、前記ＣＳＩ−ＲＳに関するチャネル状態情報（CSI）を前記基地局装置に送信する送信部を備え、前記ＣＳＩは、第１のＰＭＩと第２のＰＭＩを含み、前記第１のＰＭＩは複数のベクトルを示す指標であり、前記第２のＰＭＩは第１の指標と第２の指標と、のいずれか一方、または両方を含み、前記第１の指標は、前記複数のベクトルに対する第１の次元の複素重みを示す指標であり、前記第２の指標は、前記複数のベクトルに対する第２の次元の複素重みを示す指標であり、前記ＣＳＩ報告の設定情報は、前記第２のＰＭＩが、前記第１の指標を含むか否かを示す情報を含む。【００１０】
（２）また、本発明の一態様に係る端末装置は、上記（１）に記載の端末装置であって、前記ＣＳＩ報告の設定情報は、複数のＣＳＩプロセスの設定情報を含み、前記ＣＳＩプロセス毎に、前記第１の指標を含むか否かが設定される。【００１１】
（３）また、本発明の一態様に係る端末装置は、上記（１）に記載の端末装置であって、前記ＣＳＩ報告の設定情報は、複数のＣＳＩリソースの設定情報を含み、前記複数のＣＳＩリソース毎に、前記第１の指標を含むか否かが設定される。【００１２】
（４）また、本発明の一態様に係る端末装置は、上記（１）に記載の端末装置であって、前記ＣＳＩ報告の設定情報は、複数のＣＳＩリソースの設定情報を含み、前記ＣＳＩは、前記複数のＣＳＩリソースの１つを示す指標を含み、前記第１の指標を、前記複数のＣＳＩリソースの１つを示す指標が示すＣＳＩリソースで送信される前記ＣＳＩ−ＲＳに基づいて算出する。【００１３】
（５）また、本発明の一態様に係る端末装置は、上記（１）に記載の端末装置であって、前記第１の指標は、少なくとも２つのベクトルのいずれかを示すことができ、前記少なくとも２つのベクトルは、非零要素が１つだけのベクトルと、非零要素が２以上のベクトルを含む。【００１４】
（６）また、本発明の一態様に係る端末装置は、上記（１）から（５）のいずれかに記載の端末装置であって、前記第１の次元は、同一偏波内であり、前記第２の次元は、偏波間である。【００１５】
（７）また、本発明の一態様に係る基地局装置は、端末装置と通信する基地局装置であって、チャネル状態情報参照信号（CSI-RS）およびチャネル状態情報（CSI）報告の設定情報を前記端末装置に送信する送信部と、前記ＣＳＩ−ＲＳに関するチャネル状態情報（CSI）を受信する受信部と、を備え、前記チャネル状態情報は、第１のＰＭＩと第２のＰＭＩを含み、前記第１のＰＭＩは複数のベクトルを示す指標であり、前記第２のＰＭＩは第１の指標と第２の指標と、のいずれか一方、または両方を含み、前記第１の指標は、前記複数のベクトルに対する第１の次元の複素重みを示す指標であり、前記第２の指標は、前記複数のベクトルに対する第２の次元の複素重みを示す指標であり、前記ＣＳＩ報告の設定情報は、前記第２のＰＭＩが、前記第１の指標を含むか否かを示す情報を含む。【００１６】
（８）また、本発明の一態様に係る通信方法は、基地局装置と通信する端末装置の通信方法であって、チャネル状態情報参照信号（CSI-RS）およびチャネル状態情報（CSI）報告の設定情報を前記基地局装置から受信するステップと、前記ＣＳＩ−ＲＳに関するチャネル状態情報（CSI）を前記基地局装置に送信するステップと、を備え、前記ＣＳＩは、第１のＰＭＩと第２のＰＭＩを含み、前記第１のＰＭＩは複数のベクトルを示す指標であり、前記第２のＰＭＩは第１の指標と第２の指標と、のいずれか一方、または両方を含み、前記第１の指標は、前記複数のベクトルに対する第１の次元の複素重みを示す指標であり、前記第２の指標は、前記複数のベクトルに対する第２の次元の複素重みを示す指標であり、前記ＣＳＩ報告の設定情報は、前記第２のＰＭＩが、前記第１の指標を含むか否かを示す情報を含む。
【発明の効果】
【００１７】
本発明によれば、複雑性の増加を回避しつつ、スループットや通信品質を向上させることができる。
【図面の簡単な説明】
【００１８】
【図１】本実施形態に係る通信システムの例を示す図である。
【図２】本実施形態に係る基地局装置の構成例を示すブロック図である。
【図３】本実施形態に係る端末装置の構成例を示すブロック図である。
【発明を実施するための形態】
【００１９】
本実施形態における通信システムは、基地局装置（送信装置、セル、送信点、送信アンテナ群、送信アンテナポート群、コンポーネントキャリア、eNodeB）および端末装置（端末、移動端末、受信点、受信端末、受信装置、受信アンテナ群、受信アンテナポート群、UE）を備える。また、端末装置と接続している（無線リンクを確立している）基地局装置をサービングセルと呼ぶ。
【００２０】
本実施形態における基地局装置および端末装置は、無線事業者がサービスを提供する国や地域から使用許可（免許）が得られた、いわゆるライセンスバンド（licensed band）と呼ばれる周波数バンド、および／または、国や地域からの使用許可（免許）を必要としない、いわゆるアンライセンスバンド（unlicensed band）と呼ばれる周波数バンドで通信することができる。
【００２１】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２２】
図１は、本実施形態に係る通信システムの例を示す図である。図１に示すように、本実施形態における通信システムは、基地局装置１Ａ、端末装置２Ａ、２Ｂを備える。また、カバレッジ１−１は、基地局装置１Ａが端末装置と接続可能な範囲（通信エリア）である。また、端末装置２Ａ、２Ｂを総称して端末装置２とも称する。
【００２３】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２４】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ACK/NACK）を含む。下りリンクデータに対するＡＣＫ／ＮＡＣＫを、ＨＡＲＱ−ＡＣＫ、ＨＡＲＱフィードバックとも称する。
【００２５】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）、好適なＣＳＩ−ＲＳリソースを示すＣＳＩ−ＲＳ（Reference Signal、参照信号）リソース指標ＣＲＩ（CSI-RS Resource Indication）などが該当する。
【００２６】
前記チャネル品質指標ＣＱＩは（以下、CQI値）、所定の帯域（詳細は後述）における好適な変調方式（例えば、QPSK、16QAM、64QAM、256QAMなど）、符号化率（coding rate）とすることができる。ＣＱＩ値は、前記変更方式や符号化率により定められたインデックス（CQI Index）とすることができる。前記ＣＱＩ値は、予め当該システムで定めたものをすることができる。
【００２７】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２８】
本実施形態の通信システムが備える基地局装置および端末装置は、前述した指標以外の値もＣＳＩ値として用いることができる。
【００２９】
例えば、端末装置は、基地局装置との間のチャネルの複素チャネル利得を直接量子化した値を、ＣＳＩ値として基地局装置に報告することができる。基地局装置と端末装置は、予め、該複素チャネル利得を量子化する方法を取り決めておくことができる。例えば、端末装置は、該複素チャネル利得の実部と虚部を、それぞれ所定のビット数で、量子化することができる。例えば、端末装置は、複素チャネル利得の振幅と位相を、それぞれ所定のビット数で、量子化することができる。なお、端末装置は、複素チャネル利得の一部または全部の範囲で等間隔に量子化することができる。なお、端末装置は、複素チャネル利得の一部の範囲では、その他の範囲とは間隔が異なるように量子化することも可能である。
【００３０】
例えば、端末装置は、複数の信号点が記載された所定のテーブル（表）を用いて、該複素チャネル利得を量子化することができる。この場合、端末装置は、該複素チャネル利得に最も近い信号点のインデックスを基地局装置に報告することができる。該所定のテーブルに記載される複数の信号点は、複素平面上に等間隔に配置されることができる。該所定のテーブルに記載される複数の信号点は、マルチレベルＰＳＫのように、複数の同心円状に、それぞれ複数配置されることができる。該複数の同心円状に、それぞれ複数配置される信号点の数は、複数の同心円毎に異なっていても良い。例えば、該同心円の半径に比例して、該信号点の数が設定されても良い。なお、所定のテーブルに記載される複数の信号点は、等間隔に配置しなくても良い。例えば、該複素チャネル利得の振幅が小さい場合、振幅が大きい場合と比べて信号点の数を多くすることもできる。
【００３１】
例えば、端末装置は、基地局装置との間で共有された所定のコードブックを用いて、１つ、ないし複数の該複素チャネル利得を量子化することができる。該所定のコードブックには、直交基底もしくは非直交基底に基づいて計算された複数のベクトルが記載されることができる。端末装置は、該所定のコードブックに記載された複数のベクトルのうち、基地局装置との間の１つ、ないし複数の複素チャネル利得を要素とするチャネルベクトルに最も近い（ユークリッド距離が近い、チャネルベクトルとの間の所定数のノルムが小さい）ベクトルを示すインデックスを基地局装置に報告することができる。
【００３２】
詳細は後述するが、端末装置は、該所定のコードブックに記載された複数のベクトルのうち、２以上のベクトルを報告することができる。これは、２以上のベクトルを所定の方法で線形合成したベクトルが、チャネルベクトルに最も近いベクトルとなる場合があるためである。端末装置は、２以上のベクトルを報告する場合、該２以上のベクトルを線形合成する方法を示す情報（例えば、合成重みや複素重み）を併せて報告することができる。
【００３３】
このとき、端末装置が参照する該所定のコードブックに記載された複数のベクトル間の弦距離（ユークリッド距離）は、等間隔でも良いし、一部が等間隔であっても良い。
【００３４】
端末装置が量子化する対象は、基地局装置との間のチャネルの複素チャネル利得に限定されない。端末装置が量子化する対象は、該チャネルの共分散行列、該チャネルの固有ベクトル、該チャネルの固有値、自装置に好適なプレコーディングフィルタ、自装置に非好適なプレコーディングフィルタ、を含む。なお、端末装置は、量子化する対象の全てを量子化する必要はなく、一部を量子化して報告することができる。例えば、端末装置が、チャネルの固有ベクトルを量子化する場合、チャネル行列がランク４であった場合、固有ベクトルは４つ存在するが、端末装置は、４つの固有ベクトルを全て量子化する必要はなく、所定数の固有ベクトルを量子化しても良い。基地局装置は、該所定数を示す情報を、下りリンクの制御情報として、端末装置に通知することができる。また、端末装置は、ある閾値以上の固有値に対応する固有ベクトルを量子化しても良い。
【００３５】
端末装置が、基地局装置との間のチャネルの複素チャネル利得を量子化した値をＣＳＩ値として報告する場合、いわゆる、自装置に好適なランク数（レイヤ数）を定義できない。これは、端末装置が、複素チャネル利得を基地局装置にＣＳＩ値として報告する場合、このＣＳＩ報告は、プレコーダを基地局装置が決定する明示的（Explicit）ＣＳＩ報告となるためであり、端末装置は、実際のデータ送信のランク数が分からないためである。そのため、基地局装置は、端末装置に対して、ＣＳＩ報告を計算する際に想定するランク数を通知することができる。このとき端末装置は、基地局装置から指示されたランク数を想定して複素チャネル利得を量子化したＣＳＩを報告することができる。また、基地局装置からランク数の指示がない場合、端末装置は、直近に想定した（または報告した、指示された）ランク数に基づいて、複素チャネル利得を量子化したＣＳＩを報告することができる。なお、基地局装置からランク数の指示がない場合で、かつ、直近に想定した（または報告した、指示された）ランク数がない場合、端末装置はランク数を１として複素チャネル利得を量子化したＣＳＩを求めることができる。
【００３６】
端末装置は、基地局装置との間のチャネル利得から算出できるチャネル容量（該チャネルで伝送できる最大のビット数を示すパラメータ、該チャネルで誤りなく伝送できる最大のビット数を示すパラメータ）に基づいて、自装置に好適なランク数を計算することもできる。この場合、端末装置は、基地局装置との間で予め共有したチャネル容量の計算式（もしくはテーブル）に基づいて、チャネル容量を算出し、最大のチャネル容量が達成されるランク数を基地局装置に通知することができる。なお、この際に算出するチャネル容量は、端末装置が基地局装置に通知するＣＳＩ報告の内容を前提として算出することができる。
【００３７】
端末装置は、基地局装置にＣＱＩを報告することができる。端末装置は４ビットのテーブルに基づいてＣＱＩを報告することができる。該４ビットのインデックスは、それぞれ異なる変調方式および符号化率の組み合わせ（MCSセット）を示す。端末装置は、ＣＱＩとして、固有値、もしくはチャネル容量を報告することができる。端末装置が、ＣＱＩとして、固有値、もしくはチャネル容量を報告する場合も、４ビットのテーブルに基づいてＣＱＩを報告することができる。このとき、端末装置は、前述のＭＣＳセットが記載されたテーブル（第１のテーブルとも呼ぶ）とは、異なるテーブル（第２のテーブルとも呼ぶ）を参照することができる。基地局装置は、端末装置に対して、第１のテーブルと第２のテーブルのいずれを参照してＣＱＩを算出および報告するかを、通知（指示）することができる。なお、第２のテーブルは必ずしも４ビットで表現される必要はなく、４ビットを上回るビット数で表現されても良いし、４ビットを下回るビット数で表現されても良い。第２のテーブルが４ビットを上回るビット数で表現される場合、端末装置は、ＣＳＩ報告に要するビット数を増加させても良い。
【００３８】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００３９】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００４０】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００４１】
ＰＲＡＣＨは、ランダムアクセスプリアンブルを送信するために用いられる。
【００４２】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００４３】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００４４】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel: 報知チャネル）
・ＰＣＦＩＣＨ（Physical Control Format Indicator Channel: 制御フォーマット指示チャネル）
・ＰＨＩＣＨ（Physical Hybrid automatic repeat request Indicator Channel: HARQ指示チャネル）
・ＰＤＣＣＨ（Physical Downlink Control Channel: 下りリンク制御チャネル）
・ＥＰＤＣＣＨ（Enhanced Physical Downlink Control Channel: 拡張下りリンク制御チャネル）
・ＰＤＳＣＨ（Physical Downlink Shared Channel: 下りリンク共有チャネル）
【００４５】
ＰＢＣＨは、端末装置で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、OFDMシンボルの数）を指示する情報を送信するために用いられる。
【００４６】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（HARQフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００４７】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００４８】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００４９】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００５０】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００５１】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００５２】
また、上りリンクに対するＤＣＩフォーマットは、下りリンクのチャネル状態情報（CSI: Channel State Information。受信品質情報とも称する。）を要求（CSI request）するために用いることができる。
【００５３】
また、上りリンクに対するＤＣＩフォーマットは、端末装置が基地局装置にフィードバックするチャネル状態情報報告（CSI feedback report）をマップする上りリンクリソースを示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５４】
例えば、チャネル状態情報報告は、不定期なチャネル状態情報（Aperiodic CSI）を報告する上りリンクリソースを示す設定のために用いることができる。チャネル状態情報報告は、不定期的にチャネル状態情報を報告するモード設定（CSI report mode）のために用いることができる。基地局装置は、前記定期的なチャネル状態情報報告または前記不定期的なチャネル状態情報報告のいずれかを設定することができる。また、基地局装置は、前記定期的なチャネル状態情報報告および前記不定期的なチャネル状態情報報告の両方を設定することもできる。
【００５５】
基地局装置は、不定期的なチャネル状態情報報告を端末装置に要求する不定期的チャネル状態情報報告要求（Aperiodic CSI report trigger, CSIトリガ）を端末装置に送信できる。該不定期的チャネル状態情報報告要求は、チャネル状態情報報告要求フィールドを備える。基地局装置は、ＣＳＩトリガに、端末装置が基地局装置に報告するＣＳＩに関する情報を含むことができる。基地局装置は、ＣＳＩトリガに、端末装置が基地装置に報告するＣＳＩのランクに関する情報を含むことができる。例えば、基地局装置が端末装置に所定のランクに関連付けられたＣＳＩ報告を要求する場合、基地局装置は、ＣＳＩトリガに該所定のランクを示す情報を記載することができる。
【００５６】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えば、Wideband CQI）と狭帯域ＣＳＩ（例えば、Subband CQI）などがある。
【００５７】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００５８】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００５９】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００６０】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００６１】
ここで、ＲＲＣメッセージおよび／またはＭＡＣ  ＣＥを、上位層の信号（higher layer signaling）とも称する。
【００６２】
また、ＰＤＳＣＨは、下りリンクのチャネル状態情報を要求するために用いることができる。また、ＰＤＳＣＨは、端末装置が基地局装置にフィードバックするチャネル状態情報報告（CSI feedback report）をマップする上りリンクリソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００６３】
下りリンクのチャネル状態情報報告の種類は広帯域ＣＳＩ（例えば、Wideband CSI）と狭帯域ＣＳＩ（例えば、Subband CSI）がある。広帯域ＣＳＩは、セルのシステム帯域に対して１つのチャネル状態情報を算出する。狭帯域ＣＳＩは、システム帯域を所定の単位に区分し、その区分に対して１つのチャネル状態情報を算出する。
【００６４】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６５】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００６６】
ここで、下りリンク参照信号には、ＣＲＳ（Cell-specific Reference Signal: セル固有参照信号）、ＰＤＳＣＨに関連するＵＲＳ（UE-specific Reference Signal: 端末固有参照信号、端末装置固有参照信号）、ＥＰＤＣＣＨに関連するＤＭＲＳ（Demodulation Reference Signal）、ＮＺＰ  ＣＳＩ−ＲＳ（Non-Zero Power Channel State Information - Reference Signal）、ＺＰ  ＣＳＩ−ＲＳ（Zero Power Channel State Information - Reference Signal）が含まれる。
【００６７】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００６８】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００６９】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００７０】
ＭＢＳＦＮ（Multimedia Broadcast multicast service Single Frequency Network）  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信に用いられるアンテナポートで送信される。
【００７１】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００７２】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００７３】
また、キャリアアグリゲーション（CA: Carrier Aggregation）をサポートしている端末装置に対して、基地局装置は、より広帯域伝送のため複数のコンポーネントキャリア（CC: Component Carrier）を統合して通信することができる。キャリアアグリゲーションでは、１つのプライマリセル（PCell: Primary Cell）および１または複数のセカンダリセル（SCell: Secondary Cell）がサービングセルの集合として設定される。
【００７４】
また、デュアルコネクティビティ（DC: Dual Connectivity）では、サービングセルのグループとして、マスターセルグループ（MCG: Master Cell Group）とセカンダリセルグループ（SCG: Secondary Cell Group）が設定される。ＭＣＧは、ＰＣｅｌｌとオプションで１または複数のＳＣｅｌｌから構成される。また、ＳＣＧは、プライマリＳＣｅｌｌ（PSCell）とオプションで１または複数のＳＣｅｌｌから構成される。
【００７５】
基地局装置は、ＣＳＩ−ＲＳ設定情報を端末装置に送信することができる。ＣＳＩ−ＲＳ設定情報は、アンテナポート数、リソース設定、サブフレーム設定の一部または全部を含む。また、リソース設定は、ＣＳＩ−ＲＳが配置されるリソースに関する情報である。サブフレーム設定は、ＣＳＩ−ＲＳが配置されるサブフレームやＣＳＩ−ＲＳが送信される周期に関する情報である。
【００７６】
また、ＣＳＩ−ＲＳは、ＣＳＩ報告（フィードバック）に関するｅＭＩＭＯタイプ（CSI報告タイプ）としてｎｏｎ−ｐｒｅｃｏｄｅｄ（CLASS Aとも呼ぶ）および／またはｂｅａｍｆｏｒｍｅｄ（CLASS Bとも呼ぶ）が設定される。なお、ｎｏｎ−ｐｒｅｃｏｄｅｄ（CLASS A）が設定されたＣＳＩ−ＲＳをｎｏｎ−ｐｒｅｃｏｄｅｄ  ＣＳＩ−ＲＳ（NP CSI-RS、第１のCSI-RS）とも呼び、ｂｅａｍｆｏｒｍｅｄ（CLASS B）が設定されたＣＳＩ−ＲＳを（BF CSI-RS、第２のCSI-RS）とも呼ぶ。また、基地局装置は、ＮＰ  ＣＳＩ−ＲＳかＢＦ  ＣＳＩ−ＲＳかを示す情報を端末装置に送信することができる。つまり、端末装置は、基地局装置からＮＰ  ＣＳＩ−ＲＳかＢＦ  ＣＳＩ−ＲＳかを示す情報を受信し、設定されたＣＳＩ−ＲＳがＮＰ  ＣＳＩ−ＲＳかＢＦ  ＣＳＩ−ＲＳかを知ることができる。また、ＮＰ−ＣＳＩ−ＲＳおよび／またはＢＦ  ＣＳＩ−ＲＳは、ＣＳＩ測定、ＲＲＭ（Radio Resource Manager）測定、ＲＬＭ（Radio Link Monitoring）測定などに用いられる。
【００７７】
また、基地局装置は、上位レイヤのシグナリングに、少なくともチャネル測定のためのＣＳＩ−ＲＳと干渉測定のためのＣＳＩ−ＩＭ（Interference Measurement）を関連付けて、チャネル状態情報を算出する手順に関する設定（CSIプロセス）を含めることができる。ＣＳＩプロセスには、そのＣＳＩプロセスＩＤ、ＣＳＩ−ＲＳの設定情報、ＣＳＩ−ＲＳ設定ＩＤ、ＮＰ  ＣＳＩ−ＲＳかＢＦ  ＣＳＩ−ＲＳかを示す情報（eMIMOタイプ、CSI報告タイプ）、ＮＰ  ＣＳＩ−ＲＳの設定情報、ＢＦ  ＣＳＩ−ＲＳの設定情報の一部または全部を含めることができる。基地局装置は、１つ以上のＣＳＩプロセスを設定することができる。基地局装置は、ＣＳＩのフィードバックを前記ＣＳＩプロセス毎に独立して生成することができる。基地局装置は、ＣＳＩプロセス毎にＣＳＩ-ＲＳリソースとＣＳＩ−ＩＭを異なる設定にすることができる。端末装置は、１つ以上のＣＳＩプロセスが設定され、設定されたＣＳＩプロセス毎に独立にＣＳＩ報告を行なう。また、ＣＳＩプロセスは、所定の送信モードにおいて設定される。
【００７８】
ＮＰ  ＣＳＩ−ＲＳでは、１つのＣＳＩ−ＲＳリソースが設定される。また、１つのＣＳＩ−ＲＳリソースは複数のＣＳＩ−ＲＳリソース設定から構成され得る。複数のＣＳＩ−ＲＳリソースの各々のアンテナポート数は同じであっても異なっても良い。例えば、１２ポートのＣＳＩ−ＲＳリソースは、３つの４ポートＣＳＩ−ＲＳリソースによって構成される。また例えば、１６ポートのＣＳＩ−ＲＳリソースは、２つの８ポートＣＳＩ−ＲＳリソースによって構成される。また例えば、２０ポートのＣＳＩ−ＲＳリソースは、１２ポートのＣＳＩ−ＲＳリソースの構成および８ポートのＣＳＩ−ＲＳリソースから構成される。また例えば、２４ポートのＣＳＩ−ＲＳリソースは、３つの８ポートＣＳＩ−ＲＳリソースや２つの１２ポートＣＳＩ−ＲＳリソースによって構成される。また例えば、２８ポートのＣＳＩ−ＲＳリソースは、１２ポートＣＳＩ−ＲＳリソースおよび１６ポートＣＳＩ−ＲＳリソースや７つの４ポートＣＳＩ−ＲＳリソースから構成される。また例えば、３２ポートＣＳＩ−ＲＳリソースは、２つの１６ポートＣＳＩ−ＲＳリソースや４つの８ポートＣＳＩ−ＲＳから構成される。なお、各アンテナポート数のＣＳＩ−ＲＳリソースの構成は一例であり、これに限るものではない。
【００７９】
また、ＣＳＩ−ＲＳ設定ＩＤが設定される場合、ＮＰ  ＣＳＩ−ＲＳでは、１つのＣＳＩ−ＲＳ設定ＩＤが設定される。また、基地局装置はＮＰ  ＣＳＩ−ＲＳを複数の拡散率（拡散コード長）で拡散して送信することができる。また、基地局装置は、どの拡散率（拡散コード長）を用いたかを示す情報を端末装置に送信することができる。つまり端末装置は、基地局装置から受信したどの拡散率（拡散コード長）を用いたかを示す情報によって、ＮＰ  ＣＳＩ−ＲＳに用いられた拡散率（拡散コード長）を知ることができる。
【００８０】
また、基地局装置は、ＮＰ  ＣＳＩ−ＲＳを拡散する際に、ＣＳＩ−ＲＳのポート数に基づいて、１つのＮＰ  ＣＳＩ−ＲＳを拡散するＯＦＤＭシンボルおよびサブキャリア間隔を異なる値に設定することができる。例えば、基地局装置は、ＣＳＩ−ＲＳのポート数が所定の値（例えば、16）以下であった場合、１つのＮＰ  ＣＳＩ―ＲＳを拡散する複数のＯＦＤＭシンボルは、１スロット内に含まれるように設定し、ＣＳＩ−ＲＳのポート数が所定の値を上回る場合、１つのＮＰ  ＣＳＩ―ＲＳを拡散する複数のＯＦＤＭシンボルは、２スロット内（またはサブフレーム内）に含まれるように設定することができる。
【００８１】
また、基地局装置は、ＣＳＩ−ＲＳリソースの設定を、複数のサブフレームに渡って設定することができる。例えば、基地局装置は、ｍを自然数とし、２０ポートのＣＳＩ−ＲＳリソースを設定する際に、第ｍサブフレームに対して１２ポートのＣＳＩ−ＲＳリソースを設定し、第（ｍ＋１）サブフレームに８ポートのＣＳＩ−ＲＳリソースを設定することができる。ただし、上記は一例であり連続するサブフレームには限らない。すなわち、本実施形態に係る基地局装置は、端末装置に対して複数のＣＳＩ−ＲＳポートを設定する際に、複数のサブフレームを、ＣＳＩ−ＲＳポートを設定するサブフレームとして設定することができる。基地局装置は、ＣＳＩ−ＲＳリソースの設定を複数のサブフレームに渡って設定する際に、その設定周期（CSI-RSリソースの送信周期、CSI-RSリソースの設定周期）は、サブフレーム毎に異なることもできるし、同じとすることもできる。
【００８２】
また、基地局装置は、端末装置に対して設定した複数のＣＳＩ−ＲＳリソース（またはリソース設定）のうち、少なくとも１つのＣＳＩ−ＲＳリソース（またはリソース設定）に対して、ＣＳＩ−ＲＳ以外の信号を配置することができる。基地局装置は、ＣＳＩ−ＲＳ以外の信号を配置するＣＳＩ−ＲＳリソースを示す設定情報（CSI-RSサブセット制限情報、CSI-RS Subset Restriction）を端末装置に設定することができる。基地局装置がＣＳＩ−ＲＳサブセット制限情報を端末装置に設定する周期は、基地局装置がＣＳＩ−ＲＳリソースを端末装置に設定する周期と同じとすることもできるし、異なる周期とすることもできる。
【００８３】
また、基地局装置が端末装置に設定するＣＳＩ−ＲＳのアンテナポート数は、基地局装置が端末装置に通知するＤＣＩ、ＤＣＩフォーマット、もしくはＤＣＩフォーマットの記載内容に応じて制限されることができる。例えば、基地局装置は、端末装置の上りリンク伝送の送信モードをＤＣＩで設定する際に、該送信モードが所定の送信モードに含まれていない場合、基地局装置は、該端末装置に設定するＣＳＩ−ＲＳのポート数を所定数（例えば、16以下）に制限することができる。ＣＳＩ−ＲＳのポート数の増加に従い、端末装置が上りリンク伝送で送信する信号に含まれるＣＳＩフィードバック情報量が増加するため、基地局装置は該ＣＳＩフィードバック情報量をサポート可能（送信可能）な送信モードを設定できる端末装置に対して、１６を上回るポート数のＣＳＩ−ＲＳリソースを設定することができる。逆に言えば、基地局装置は、ＣＳＩフィードバック情報量をサポート可能（送信可能）な端末装置に対して、所定数以上（例えば、16ポートより多い）のアンテナポート数で送信することができる。
【００８４】
ＮＰ  ＣＳＩ−ＲＳが設定された場合、基地局装置は、ＮＰ  ＣＳＩ−ＲＳの設定情報を端末装置に送信することができる。ＮＰ  ＣＳＩ−ＲＳの設定情報は、アンテナポート数、コードブックサブセット制限（CBSR: Codebook Subset Restriction）に関する情報、コードブックに関する情報、干渉を測定する際のリソース制限をするか否かの設定である干渉測定制限、１または複数のリソース設定、拡散コード長の一部または全部を含む。なお、基地局装置はアンテナポート数とリソース設定は関連付けて設定することができる。例えば、ＮＰ  ＣＳＩ−ＲＳの設定情報が複数のアンテナポート数、複数の１または複数のリソース設定を含む場合、アンテナポート数の各々と１または複数のリソース設定の各々が関連付けられる。
【００８５】
多数のアンテナポートでＣＳＩ−ＲＳを送信する場合、ＣＳＩ−ＲＳを送信するためのリソースが増えてしまう。このため、ＣＳＩ−ＲＳ送信のオーバーヘッドを減らすことによって、スループットが向上する。ＣＳＩ−ＲＳ送信のオーバーヘッドを減らすために、ＣＳＩ−ＲＳの送信周期を長くすることが考えられる。例えば、水平方向のビームフォーミングと垂直方向のビームフォーミングを考えると、一般に好適な垂直ビームの変化は好適な水平ビームの変化よりも緩やかである。従って、垂直ビームに関連するＣＳＩ−ＲＳの送信周期（間隔）を長くすることで、ＣＳＩ−ＲＳ送信のオーバーヘッドを低減できる。例えば、水平方向に８アンテナポート、垂直方向に４アンテナポートの場合、合計で３２アンテナポートになる。このとき、図２に示すように、基地局装置は、周期ＴＨで水平方向の８ポートＣＳＩ−ＲＳを送信し、周期ＴＶで３２ポートＣＳＩ−ＲＳを送信することができる。なお、ＴＨ＜ＴＶである。また、８ポートのＣＳＩ−ＲＳ設定情報は３２ポートＣＳＩ−ＲＳ設定情報に含まれても良いし、８ポートのＣＳＩ−ＲＳ設定情報と３２ポートＣＳＩ−ＲＳ設定情報は別の設定としても良い。８ポートのＣＳＩ−ＲＳ設定情報と３２ポートＣＳＩ−ＲＳ設定情報が別の設定の場合、２つの設定情報はリンクさせる必要がある。例えば、８ポートのＣＳＩ−ＲＳ設定情報に含まれるＣＳＩ−ＲＳ設定ＩＤと３２ポートＣＳＩ−ＲＳ設定情報に含まれるＣＳＩ−ＲＳ設定ＩＤは同じとすることができる。この場合、端末装置は、同じＣＳＩ−ＲＳ設定ＩＤに関するＣＳＩを考慮してＣＳＩを算出および報告することができる。また、８ポートまたは３２ポートＣＳＩ−ＲＳ設定情報に参照先のＩＤを含めることができる。このとき端末装置は、参照先のＩＤに関するＣＳＩを考慮してＣＳＩを算出および報告することができる。このように、３２ポートＣＳＩ−ＲＳが設定された場合であっても、基地局装置は８ポートのＣＳＩ−ＲＳまたは３２ポートのＣＳＩ−ＲＳを送信するため、３２ポートＣＳＩ−ＲＳを送信し続ける場合と比べて、ＣＳＩ−ＲＳのオーバーヘッドを低減できる。また、基地局装置は、ＣＳＩ−ＲＳの送信周期をＮＰ  ＣＳＩ−ＲＳの設定情報に含めることができる。また例えば、端末装置は、３２ポートＣＳＩ−ＲＳが設定されている場合に、基地局装置から受信したＣＳＩ−ＲＳおよび／またはＮＰ  ＣＳＩ−ＲＳの設定情報から８ポートＣＳＩ−ＲＳが送信されたか、３２ポートＣＳＩ−ＲＳが送信されたかを判断（特定）することができる。また、端末装置は、３２ポートＣＳＩ−ＲＳが設定されている場合に８ポートＣＳＩ−ＲＳを受信したとき、８ポートＣＳＩ−ＲＳからＣＱＩ／ＰＭＩ／ＲＩを算出して基地局装置に報告することもできるし、以前の報告時に算出した３２ポートのＣＱＩ／ＰＭＩ／ＲＩを用いて８ポートのＣＱＩ／ＰＭＩ／ＲＩを算出して基地局装置に報告することができる。
【００８６】
また、基地局装置は、多数のアンテナポートの場合に、ＣＳＩ−ＲＳの送信周期を長く設定することもできる。つまり、アンテナポート数によって、設定できるＣＳＩ−ＲＳの送信周期を変えることができる。例えば、アンテナポート数が１６以下の場合よりも、アンテナポート数が１６より多い場合の方が、長い周期を設定する。また例えば、ＣＳＩ−ＲＳのアンテナポート数が１６より多い場合、基地局装置は、ＣＳＩ−ＲＳの送信周期をＣＳＩ−ＲＳの設定情報またはＮＰ  ＣＳＩ−ＲＳの設定情報に含めることができる。
【００８７】
ＢＦ  ＣＳＩ−ＲＳでは、１または複数のＣＳＩ−ＲＳリソースが設定される。ここではＣＳＩ−ＲＳリソース数をＫ（Ｋは自然数）とする。複数のＣＳＩ−ＲＳのうち、少なくとも１つは異なるビーム方向となるようにビームフォーミングされる。また、ＢＦ  ＣＳＩ−ＲＳの最大アンテナポート数はＮＰ  ＣＳＩ−ＲＳの最大アンテナポート数よりも少ない。また、ＣＳＩ−ＲＳ  ＩＤが設定される場合、ＢＦ  ＣＳＩ−ＲＳでは、１または複数のＣＳＩ−ＲＳ  ＩＤが設定される。また、ＢＦ  ＣＳＩ−ＲＳが設定された場合、端末装置は、複数のＣＳＩ−ＲＳリソースから好適なＣＳＩ−ＲＳリソースを選択し、ＣＳＩとしてＣＱＩ／ＰＭＩ／ＲＩ／ＣＲＩを基地局装置に報告する。
【００８８】
ＢＦ  ＣＳＩ−ＲＳが設定された場合、基地局装置はＢＦ  ＣＳＩ−ＲＳの設定情報を端末装置に送信することができる。ＢＦ  ＣＳＩ−ＲＳの設定情報は、１または複数のＣＳＩ−ＲＳ設定ＩＤ、干渉測定制限、コードブックサブセット制限（CBSR: Codebook Subset Restriction）に関する情報、各ＣＳＩ−ＲＳ設定ＩＤ毎の４ポートにおける別のコードブックの指示、ＢＦ  ＣＳＩ−ＲＳのコードブックに関する情報、チャネル測定時のリソース（サブフレーム）を制限するか否かの設定であるチャネル測定制限の一部または複数を含む。
【００８９】
基地局装置は、端末装置からのＣＳＩ報告によって、端末装置のチャネル情報を得ることができる。端末装置は、ＮＰ  ＣＳＩ−ＲＳ（CLASS A）が設定された場合、基地局装置にＣＱＩ／ＰＭＩ／ＲＩを報告することができる。ＢＦ  ＣＳＩ−ＲＳ（CLASS B）が設定された場合、基地局装置にＣＱＩ／ＰＭＩ／ＲＩ／ＣＲＩを報告することができる。また、ＮＰ  ＣＳＩ−ＲＳとＢＦ  ＣＳＩ−ＲＳの両方（CLASS Cとも呼ぶ）が設定された場合、端末装置は、ＮＰ  ＣＳＩ−ＲＳに関するＣＳＩとＢＦ  ＣＳＩ−ＲＳに関するＣＳＩを報告する。
【００９０】
また、ＮＰ  ＣＳＩ−ＲＳとＢＦ  ＣＳＩ−ＲＳの両方が設定される場合、基地局装置は、ＮＰ  ＣＳＩ−ＲＳの送信周期とＢＦ  ＣＳＩ−ＲＳの送信周期を変えることができる。例えば、基地局装置は、ＮＰ  ＣＳＩ−ＲＳの送信周期はＢＦ  ＣＳＩ−ＲＳの送信周期よりも長く設定することができる。
【００９１】
また、基地局装置はＫの値が異なるＢＦ  ＣＳＩ−ＲＳを複数設定することができる。また、基地局装置は、Ｋの値に従ってＣＳＩ−ＲＳの送信周期を変えることができる。Ｋの値が大きくなるとＣＳＩ−ＲＳのオーバーヘッドが大きくなるため、Ｋの値が大きくなるに従ってＣＳＩ−ＲＳ送信周期を大きくすることによってＣＳＩ−ＲＳのオーバーヘッドを低減できる。例えば、Ｋ＝１とＫ＞１のＢＦ  ＣＳＩ−ＲＳが設定されている場合、Ｋ＝１のＢＦ  ＣＳＩ−ＲＳの送信周期は、Ｋ＞１のＢＦ  ＣＳＩ−ＲＳよりも短く設定することができる。
【００９２】
また、Ｋの値が異なるＢＦ  ＣＳＩ−ＲＳを複数設定された場合、端末装置は設定されたＢＦ  ＣＳＩ−ＲＳの各々に対するＣＱＩ／ＰＭＩ／ＲＩ／ＣＲＩを基地局装置に報告する。もしくは、端末装置は設定された全てのＢＦ  ＣＳＩ−ＲＳリソースから好適なＢＦ  ＣＳＩ−ＲＳリソースを選択し、そのＢＦ  ＣＳＩ−ＲＳのＣＱＩ／ＰＭＩ／ＲＩ／ＣＲＩを基地局装置に報告する。
【００９３】
また、ＣＳＩ−ＲＳは周期的に送信することに加え、非周期的に送信することができる。周期的なＣＳＩ−ＲＳをＰｅｒｉｏｄｉｃ  ＣＳＩ−ＲＳ（P-CSI-RS、周期的CSI-RS）、非周期的なＣＳＩ−ＲＳをＡｐｅｒｉｏｄｉｃ  ＣＳＩ−ＲＳ（A-CSI-RS、非周期的CSI-RS）とも呼ぶ。例えば、Ａ−ＣＳＩ−ＲＳは基地局装置が指示するタイミングで送信される。この場合、端末装置は、基地局装置から制御情報等で指示されたタイミングでＡ−ＣＳＩ−ＲＳを受信する。Ｐ−ＣＳＩ−ＲＳの設定情報および／またはＡ−ＣＳＩ−ＲＳの設定情報は上位層のシグナリングまたは下りリンク制御情報などの物理層のシグナリングで送信される。Ａ−ＣＳＩ−ＲＳの設定情報は、アンテナポート数、ＣＳＩ−ＲＳ設定ＩＤ、リソース設定、ＣＳＩ報告タイプ、ＣＳＩを報告するサブフレーム（リソース）の一部または全部を含む。また、Ｐ−ＣＳＩ−ＲＳの設定情報および／またはＡ−ＣＳＩ−ＲＳの設定情報は上記ＣＳＩ−ＲＳの設定情報に含めることができる。基地局装置は、Ａ−ＣＳＩ−ＲＳに関する情報を下りリンク制御情報に含めて送信する場合、この下りリンク制御情報と同じサブフレーム（スロット）でＣＳＩ−ＲＳを送信する。逆に言えば、端末装置は、受信した下りリンク制御情報にＡ−ＣＳＩ−ＲＳに関する情報が含まれている場合、この下りリンク制御情報と同じサブフレーム（スロット）でＡ−ＣＳＩ−ＲＳを受信する。このようにＡ−ＣＳＩ−ＲＳはあるタイミングで送信されるため、不必要にＣＳＩ−ＲＳを送信しなくなるため、ＣＳＩ−ＲＳのオーバーヘッドを低減することができる。
【００９４】
また、Ｐ−ＣＳＩ−ＲＳとＡ−ＣＳＩ−ＲＳが衝突した場合、端末装置はＡ−ＣＳＩ−ＲＳを優先してＣＳＩ等を報告する。Ｐ−ＣＳＩ−ＲＳとしてＮＰ  ＣＳＩ−ＲＳが設定されている場合に、Ａ−ＣＳＩ−ＲＳとしてＢＦ  ＣＳＩ−ＲＳを受信した場合、端末装置は、ＢＦ  ＣＳＩ−ＲＳに関するＣＳＩを報告する。逆に、Ｐ−ＣＳＩ−ＲＳとしてＢＦ  ＣＳＩ−ＲＳが設定されている場合に、Ａ−ＣＳＩ−ＲＳとしてＮＰ  ＣＳＩ−ＲＳを受信した場合、端末装置は、ＮＰ  ＣＳＩ−ＲＳに関するＣＳＩを報告する。
【００９５】
また、Ｐ−ＣＳＩ−ＲＳ系列を生成するための初期値とＡ−ＣＳＩ−ＲＳ系列を生成するための初期値は変えることができる。例えば、Ｐ−ＣＳＩ−ＲＳ系列の初期値は物理セルＩＤで、Ａ−ＣＳＩ−ＲＳはユーザ固有のＩＤとすることができる。この場合、端末装置は、ＣＳＩ−ＲＳ系列の初期値を知ることで、受信したＣＳＩ−ＲＳがＰ−ＣＳＩ−ＲＳかＡ−ＣＳＩ−ＲＳかを判断することができる。
【００９６】
端末装置は、複数のＰＭＩを基地局装置にフィードバックすることができる。ＰＭＩは、端末装置が、基地局装置に対して、自装置にとって望ましい（好適な）プレコーダを通知するものである。以下では、プレコーダは、基地局装置が送信信号を複数の送信アンテナから送信する際に、それぞれの送信アンテナで送信信号に乗算する複素重みを要素とするベクトルまたは線形フィルタであることもできる。端末装置は、複数のＰＭＩとして、ＰＭＩ１（第１のPMI）とＰＭＩ２（第２のPMI）を基地局装置に通知することができる。端末装置は、ＰＭＩ１とＰＭＩ２の両方を基地局装置に報告することができるし、それぞれ別々に報告することができる。ＰＭＩ１とＰＭＩ２を別々に報告する場合、端末装置は、ＰＭＩ１を基地局装置に報告する周期と、ＰＭＩ２を基地局装置に報告する周期と、を異なる値に設定することができる。
【００９７】
端末装置が報告するＰＭＩ１は、１つのインデックスで複数のプレコーダ（ベクトル）を報告することができる。例えば、端末装置がＰＭＩ１を計算する際に参照するコードブック（もしくはコードブックを構成する要素の１部）に記載される要素が、ＤＦＴ行列に基づいて記載されている場合、コードブックに記載された１つの列ベクトルは、選択された列ベクトルに対応付けられた角度方向に向けたビームを表す。このとき、ＰＭＩ１は、１つのインデックスで、複数のベクトルを表すことができる。
【００９８】
当然、端末装置がＰＭＩ１だけを基地局装置が報告した場合、基地局装置は、ＰＭＩ１が示す複数のベクトルのいずれが、該端末装置に対して好適なプレコーダとなるかが分からない。そこで、端末装置は、ＰＭＩ１が示す複数のベクトルのうち、いずれが好適なプレコーダであるかを示すＰＭＩ２を基地局装置に報告することができる。
【００９９】
また、端末装置は、ＰＭＩ２を用いて、偏波間合成に関連付けられた情報を通知することができる。例えば、基地局装置および端末装置が偏波アンテナを用いてプレコーディング伝送を行なう場合、第１の偏波（例えば、Ｈ面、水平偏波）で送信される信号と、第２の偏波（例えば、Ｖ面、垂直偏波）で送信される信号と、を適切に合成しなければならない。そこで、端末装置は、ＰＭＩ２を用いて、第１の偏波と第２の偏波との間の合成に関連付けられたプレコーダも併せて報告することができる。
【０１００】
ＰＭＩ１は、それぞれ更に複数の情報を含むことができる。例えば、ＰＭＩ１は、さらにＰＭＩ１１とＰＭＩ１２で表されることができる。ＰＭＩ１１とＰＭＩ１２は、それぞれ異なる次元（方向）を想定して算出されるプレコーダであることができる。
【０１０１】
ＰＭＩ２は、さらにＰＭＩ２１（第１の指標）とＰＭＩ２２（第２の指標）で表されることができる。つまり、ＰＭＩ２が示す指標は、ＰＭＩ２１が示す指標と、ＰＭＩ２２を示す指標を示すことができる。端末装置は、ＰＭＩ２１として、ＰＭＩ１で報告する複数のベクトルを、同一偏波内で合成する際の複素重み（合成重み）を示す情報として、基地局装置に報告することができる。例えば、今、端末装置は、ＰＭＩ１で４つのベクトルを基地局装置に報告することを考える。基地局装置は、ＰＭＩ１で報告される４つのベクトルのうち、いずれか１つを使うことで、該端末装置に対するプレコーダを決定することができるが、基地局装置は、４つのベクトルのうち、複数のベクトルを同時に用いることもできる。このとき、基地局装置は、同時に用いる複数のベクトルに対して、どのように重みづけを行なうかが問題となる。そこで、本実施形態に係る端末装置は、ＰＭＩ２１として、同一偏波内でＰＭＩ１が示す複数のベクトルが合成される際の複素重みを示す情報を通知する。先の例によれば、端末装置はＰＭＩ２１として［ａ，ｂ，ｃ，ｄ］Ｔと表現されるベクトルを示すインデックスを基地局装置に報告することができる。ここで、｛ａ，ｂ，ｃ，ｄ｝はそれぞれ複素数であることができる。｛ａ，ｂ，ｃ，ｄ｝は、ＰＭＩ１が示す４つのベクトルのそれぞれに重みづけされる複素重みを表している。端末装置がＰＭＩ２１を基地局装置に報告することで、基地局装置はＰＭＩ１で報告された複数のベクトルを適切に合成することができるから、より好適なプレコーダを求めることが可能となる。
【０１０２】
端末装置は、所定のコードブックに基づいて、ＰＭＩ２１を算出することができる。このとき所定のコードブックには、少なくとも一部が、先に示した［ａ，ｂ，ｃ，ｄ］Ｔのように、ＰＭＩ１が示す複数のベクトルが合成される際の複素重みを示す情報を含むことができる。また、所定のコードブックに記載されるＰＭＩ１が示す複数のベクトルが合成される際の複素重みを示す情報には、少なくとも、非零要素が１つだけのベクトルと、非零要素が２以上のベクトルの２つを含むことができる。非零要素が１つだけのベクトルをコードブックが含むことで、ＰＭＩ２１は、ＰＭＩ１が示す複数のベクトルから１つのベクトルが選択されることを示す情報も通知することができる。
【０１０３】
端末装置は、ＰＭＩ２２として、ＰＭＩ１で報告する複数のベクトルを、偏波間で合成する際の合成重みを示す情報を、基地局装置に報告することができる。
【０１０４】
以上説明してきたように、本実施形態に係る端末装置は、ＰＭＩ２を基地局装置に報告することで、ＰＭＩ２１とＰＭＩ２２を報告することができる。また、ＰＭＩ２１とＰＭＩ２２は、いずれも所定の次元（方向、空間）において、複数のベクトルが合成される際の複素重みを示す指標である。例えば、ＰＭＩ２１が想定する所定の次元（第１の次元）は、同一偏波内であり、ＰＭＩ２１が示すインデックスは、ＰＭＩ１が示す複数のベクトルが同一偏波内で合成される際に用いられる複素重みを示す。また、ＰＭＩ２２が想定する所定の次元（第２の次元）は、偏波間であり、ＰＭＩ２２が示すインデックスは、ＰＭＩ１が示す複数のベクトルが偏波間で合成される際に用いられる複素重みを示す。
【０１０５】
また、端末装置は、ＰＭＩ１も基地局装置に報告することができるが、ＰＭＩ１、ＰＭＩ１１、およびＰＭＩ１２は、所定の次元における複数のベクトルを示す指標である。本実施形態に係る端末装置は、所定の次元における複数のベクトルを示す指標と、所定の次元における複数のベクトルを合成する複素重みを示す指標と、の２つの指標をＣＳＩ値として含むＣＳＩ報告を、基地局装置に送信することができる。
【０１０６】
端末装置は、ＰＭＩ１１とＰＭＩ１２を示すＰＭＩ１と、ＰＭＩ２１とＰＭＩ２２を示すＰＭＩ２を１つの制御情報に含めて、送信することができるし、別の制御情報として、それぞれ送信することもできる。端末装置が、ＰＭＩ１とＰＭＩ２をそれぞれ送信する場合、その送信周期はＰＭＩ１とＰＭＩ２で、それぞれ異なる値に設定することができる。ＰＭＩ１とＰＭＩ２の送信タイミングが同期（衝突）した場合、端末装置はＰＭＩ１を優先して送信することができる。
【０１０７】
端末装置２は、ＰＭＩ２１とＰＭＩ２２を、それぞれ異なるコードブックを参照して算出することができる。また、端末装置２は、ＰＭＩ２１とＰＭＩ２２を関数として表現される変数を要素とするベクトルが複数記載された１つのコードブックを参照してＰＭＩ２を算出することができる。なお、これらのコードブックに記載される線形フィルタ（ベクトル、プレコーダ）の数は、基地局装置によって設定されることができる。基地局装置は、線形フィルタの数を直接変更しても良いし、記載された線形フィルタを、先に説明した第１もしくは第２の次元（空間、方向）でオーバーサンプリングすることで、線形フィルタの数を変更しても良い。
【０１０８】
ＰＭＩ２が示すＰＭＩ２１とＰＭＩ２２の役割は、交換しても良いことは言うまでもない。
【０１０９】
端末装置は、ＰＭＩ２を基地局装置に報告することで、ＰＭＩ２１とＰＭＩ２２の組み合わせを通知することができる。例えば、端末装置がＰＭＩ２をＸビットで通知する場合、Ｙ（＜Ｘ）ビットがＰＭＩ２１に割り当てられ、Ｚ（＝Ｘ−Ｙ）ビットがＰＭＩ２２に割り当てられることができる。このとき、ＹとＺは同じ値でも良いし、異なる値でも良い。
【０１１０】
Ｙ＞Ｘとした場合は（Ｙを大きくすると）、同一偏波内でＰＭＩ１が示す複数のベクトルが合成される際に用いられる複素重みの候補数を増やすことができるから、基地局装置は、端末装置により正確なビームを向けるプレコーディングを行なうことができる。
【０１１１】
Ｙ＜Ｘとした場合は（Ｘを大きくすると）、偏波間でＰＭＩ１が示す複数のベクトルが合成される際に用いられる複素重みの候補数を増やすことができるから、端末装置が移動する環境において、基地局装置は、端末装置により正確なビームを向けるプレコーディングを行なうことができる。
【０１１２】
また、端末装置は、ＰＭＩ２１とＰＭＩ２２の組み合わせ毎に割り当てたインデックスを、ＰＭＩ２として、基地局装置に報告することができる。
【０１１３】
また、端末装置は、ＰＭＩ２１とＰＭＩ２２を独立に、基地局装置に報告することもできる。この場合、端末装置は、ＰＭＩ２１をＰＭＩ２として基地局装置に報告し、ＰＭＩ２２を新たにＰＭＩ３として基地局装置に報告することができる。
【０１１４】
以上、説明してきたように、本実施形態の通信システムが備える端末装置は、従来のＣＳＩ報告では、報告してこなかった値を含むＣＳＩ報告を行なうことができる。つまり、端末装置は、従来のＣＳＩ報告（レガシーCSI報告）に加えて、新しいＣＳＩ報告（アドバンスドCSI報告）を行なうことができることを意味している。ここで、レガシーＣＳＩ報告は、ＬＴＥ−ＡｄｖａｎｃｅｄのＲｅｌ．１３までに仕様化された値をＣＳＩ値として含むＣＳＩ報告である。
【０１１５】
アドバンスドＣＳＩ報告には、同一偏波内の複数のベクトルが合成される際の複素重みを示す情報をＣＳＩ値として含むＣＳＩ報告を含む。具体的には、アドバンスドＣＳＩ報告には、先に示したＰＭＩ２１もしくは、ＰＭＩ２１が示す値を含む値をＣＳＩ値として含むＣＳＩ報告を含む。
【０１１６】
本実施形態に係る基地局装置は、端末装置に対して、レガシーＣＳＩ報告を要求するか、アドバンスドＣＳＩ報告を要求するか、を上位レイヤで通知することができる。
【０１１７】
本実施形態に係る基地局装置は、端末装置に対して、レガシーＣＳＩ報告を要求するか、アドバンスドＣＳＩ報告を要求するか、をＣＳＩプロセス毎に設定することができる。基地局装置は、ＣＳＩプロセス毎に、要求しているＣＳＩ報告を示す情報を設定することができる。
【０１１８】
本実施形態に係る基地局装置は、端末装置に対してレガシーＣＳＩ報告を要求する場合に、端末装置に設定可能な最大のＣＳＩプロセス数よりも大きい数のＣＳＩプロセスを、アドバンスドＣＳＩ報告を要求する端末装置に対して設定することができる。基地局装置は、端末装置に設定可能なＣＳＩプロセス数に応じて、該端末装置に対してレガシーＣＳＩ報告を要求するか、アドバンスドＣＳＩ報告を要求するかを設定することができる。基地局装置は、所定のＣＳＩプロセス数を設定できない端末装置に対しては、レガシーＣＳＩ報告を設定し、所定のＣＳＩプロセス数を設定できる端末装置に対しては、アドバンスドＣＳＩ報告を設定することができる。つまり、所定の数のＣＳＩプロセスが設定できない端末装置は、アドバンスドＣＳＩ報告を設定されることができない。
【０１１９】
基地局装置は、端末装置に複数のＣＳＩプロセスを設定する際に、所定の番号のＣＳＩプロセスまでは、レガシーＣＳＩ報告を設定し、所定の番号を上回る番号のＣＳＩプロセスに関しては、アドバンスドＣＳＩ報告を設定することができる。基地局装置は所定の番号として、３と設定することができる。
【０１２０】
基地局装置は、アドバンスドＣＳＩ報告のために、新たにＣＳＩ報告タイプを定義することができる。新たなＣＳＩ報告タイプでは、基地局装置は、前述したＰＭＩ２１を示す値をＣＳＩ値として含むＣＳＩ報告を、端末装置に設定することができる。
【０１２１】
基地局装置は、端末装置に設定するＣＳＩ−ＲＳリソース毎に、アドバンスドＣＳＩ報告を要求するか、レガシーＣＳＩ報告を要求するか、を端末装置に設定することができる。基地局装置は、所定のＣＳＩ−ＲＳリソース設定に対してのみ、アドバンスドＣＳＩ報告を要求することを設定することができる。また、基地局装置は、ある次元（方向）に対してはアドバンスドＣＳＩ報告を要求し、別の次元（方向）に対してはレガシー報告を要求することができる。このとき端末装置は、アドバンスドＣＳＩとＣＱＩ／ＰＭＩ／ＲＩ／ＰＴＩ／ＣＲＩを報告する。また、基地局装置は、同じ次元（方向）に対して、アドバンスドＣＳＩ報告とレガシーＣＳＩ報告は同時に設定しない。このとき、端末装置は、ある次元（方向）に対してアドバンスドＣＳＩ報告を要求された場合、ＣＱＩ／ＰＭＩ／ＲＩ／ＰＴＩ／ＣＲＩを報告しない。
【０１２２】
端末装置が所定のコードブックに参照して、ＰＭＩ２を算出する場合、基地局装置は、該所定のコードブックに記載の複数のベクトルのうち、どのベクトルをＰＭＩ２の候補とできるかを示す情報を、端末装置に通知することができる。例えば、基地局装置は、ＰＭＩ２の候補とできるベクトルの数を制限することができる。例えば、基地局装置は、ＰＭＩ２の候補とできるベクトルをサブセットに制限することができる。基地局装置は、コードブック制限（コードブックサブセット制限）を設定した端末装置に対しては、レガシーＣＳＩ報告を設定し、コードブック制限を設定しない端末装置に対しては、アドバンスドＣＳＩ報告を設定することができる。別の言い方では、端末装置は、アドバンスドＣＳＩ報告が設定された場合、コードブック制限をせずにＣＳＩを算出する。
【０１２３】
また、基地局装置は、コードブック制限の内容（粒度）に基づいて、端末装置にレガシーＣＳＩ報告を設定するか、アドバンスドＣＳＩ報告を設定するか、を設定することができる。基地局装置は、ＰＭＩ２の候補数が所定数以下になるコードブック制限（Codebook subset restriction）を設定する場合には、端末装置にレガシーＣＳＩ報告を設定し、ＰＭＩ２の候補数が所定数を上回るコードブック制限を設定する場合には、端末装置にアドバンスドＣＳＩ報告を設定することができる。一方で、基地局装置は、ＰＭＩ２の候補数が所定数以上になるコードブック制限を設定する場合には、端末装置にレガシーＣＳＩ報告を設定し、ＰＭＩ２の候補数が所定数を下回るコードブック制限を設定する場合には、端末装置にアドバンスドＣＳＩ報告を設定することができる。別の言い方では、端末装置は、アドバンスドＣＳＩ報告が設定された場合、所定数以上のＰＭＩ２を用いてＣＳＩを算出する。また、基地局装置は、レガシーＣＳＩ報告に対するコードブック制限とアドバンスドＣＳＩ報告に対するコードブック制限は異なる設定とすることができる。
【０１２４】
なお、以上の説明では、コードブック制限に関しては、端末装置がＰＭＩ２を算出する際に参照するコードブックに対するコードブック制限に基づいているが、基地局装置は、端末装置がＰＭＩ１を算出する際に参照するコードブックに対するコードブック制限に基づいて、アドバンスドＣＳＩ報告を設定するか否かを設定することができる。
【０１２５】
また、基地局装置は、端末装置に設定するＣＳＩ−ＲＳポート数に基づいて、アドバンスドＣＳＩ報告を端末装置に設定するか否かを設定することができる。例えば、基地局装置は、ＣＳＩ−ＲＳポート数が所定数以下である場合に、端末装置にアドバンスドＣＳＩ報告を設定することができる。これは、アドバンスドＣＳＩ報告では、フィードバック情報量が増加し、特に、ＣＳＩ−ＲＳポート数が増加するに従い、フィードバック情報量が増加するためである。
【０１２６】
一方で、基地局装置は、ＣＳＩ−ＲＳポート数が所定数以上である場合に、端末装置にアドバンスドＣＳＩ報告を設定することができる。これは、アドバンスドＣＳＩ報告では、ＣＳＩ報告の精度が向上し、特に、ＣＳＩ−ＲＳポート数が増加するに従い、ＣＳＩ方向の精度向上に係る特性改善効果が大きくなるためである。なお、基地局装置は、ＣＳＩ−ＲＳポート数毎に、アドバンスドＣＳＩ報告を設定するか否かを設定することもできる。以上の説明は、ＣＳＩ−ＲＳポート数に基づいた場合を想定しているが、ＣＳＩ−ＲＳポート数ではなく、基地局装置のアンテナポート数に基づいて、同様の処理を行なっても良い。
【０１２７】
基地局装置は、ＣＳＩ報告タイプ（eMIMOタイプ、拡張MIMOタイプ）としてＣＬＡＳＳ  Ａを設定する端末装置にアドバンスドＣＳＩ報告を設定し、ＣＳＩ報告タイプ（eMIMOタイプ、拡張MIMOタイプ）としてＣＬＡＳＳ  Ｂを設定する端末装置にはレガシーＣＳＩ報告を設定することができる。この場合、ＣＬＡＳＳ  Ａで設定されるＣＳＩ報告タイプにおいては、ＰＭＩ２１を示す値をＣＳＩ値として含むＣＳＩ報告を、端末装置が基地局装置に行なうことができる。
【０１２８】
基地局装置は、ＣＳＩ報告タイプとしてＣＬＡＳＳ  Ｂを設定する端末装置にアドバンスドＣＳＩ報告を設定し、ＣＳＩ報告タイプとしてＣＬＡＳＳ  Ａを設定する端末装置にはレガシーＣＳＩ報告を設定することができる。この場合、ＣＬＡＳＳ  Ｂで設定されるＣＳＩ報告タイプにおいては、ＰＭＩ２１を示す値をＣＳＩ値として含むＣＳＩ報告を、端末装置が基地局装置に行なうことができる。基地局装置が、ＣＳＩ報告タイプとしてＣＬＡＳＳ  Ｂを設定し、かつＣＳＩ−ＲＳリソース設定を１つだけ設定した場合、もしくはＣＳＩ−ＲＳリソース設定を１つだけ設定したＣＳＩプロセスにおいて、端末装置は、設定されたＣＳＩ−ＲＳリソース設定が示すＣＳＩ−ＲＳに基づいて、アドバンスドＣＳＩ報告を行なうことができる。
【０１２９】
基地局装置が、ＣＳＩ報告タイプとしてＣＬＡＳＳ  Ｂを設定し、かつＣＳＩ−ＲＳリソース設定を複数設定した場合、もしくはＣＳＩ−ＲＳリソース設定を複数設定したＣＳＩプロセスにおいて、端末装置は、設定された複数のＣＳＩ−ＲＳリソース設定のうち、端末装置が基地局装置に報告するＣＲＩが示すＣＳＩ−ＲＳリソースで送信されるＣＳＩ−ＲＳに基づいて、アドバンスドＣＳＩ報告を行なうことができる。
【０１３０】
なお、基地局装置は、複数のＣＳＩ報告タイプ（eMIMOタイプ、拡張MIMOタイプ）を同時に（１つのCSIプロセスで）設定することができる。例えば、基地局装置は、第１のＣＳＩ報告タイプ（eMIMOタイプ、拡張MIMOタイプ）でＣＬＡＳＳ  Ａを設定し、第２のＣＳＩ報告タイプ（eMIMOタイプ、拡張MIMOタイプ)でＣＬＡＳＳ  Ｂを設定することができる。また、基地局装置は、第１のＣＳＩ報告タイプ（eMIMOタイプ、拡張MIMOタイプ）で複数のＣＳＩリソースが示されたＣＬＡＳＳ  Ｂを設定し、第２のＣＳＩ報告タイプ（eMIMOタイプ、拡張MIMOタイプ）で１つのＣＳＩリソース設定が示されたＣＬＡＳＳ  Ｂを設定することができる。
【０１３１】
基地局装置は、アドバンスドＣＳＩ報告を、端末装置にＣＳＩトリガで要求することができる。端末装置は、該ＣＳＩトリガを受信してから、所定の時間経過したのち、一定時間後に、アドバンスドＣＳＩ報告を、基地局装置に送信することができる。このとき、該ＣＳＩトリガがアドバンスドＣＳＩ報告を要求している場合の該所定の時間は、該ＣＳＩトリガがレガシーＣＳＩ報告を要求している場合の該所定の時間より短い値に設定することもできる。具体的には、レガシーＣＳＩ報告を要求されている端末装置が、ＣＳＩトリガを受信した第ｎサブフレームに対して、第（ｎ＋ｍ）サブフレームにおいて、レガシーＣＳＩ報告を行なっているとする。この場合、アドバンスドＣＳＩ報告を要求されている端末装置は、ＣＳＩトリガを受信した第ｎサブフレームに対して、第（ｎ＋Ｌ）サブフレームにおいて、アドバンスドＣＳＩ報告を行なうことが可能であり、このときＬ≦ｍとなるように、基地局装置は、端末装置を設定することができる。
【０１３２】
端末装置は、Ｌ＝ｍに設定されることは必ずサポートする一方で、Ｌ＜ｍに設定されることが可能であるか否かを示す情報を基地局装置に通知することができる。基地局装置は、端末装置が設定されることが可能な値より小さい値をＬに設定しない。
【０１３３】
図２は、本実施形態における基地局装置１Ａの構成を示す概略ブロック図である。図２に示すように、基地局装置１Ａは、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【０１３４】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【０１３５】
上位層処理部１０１は、端末装置の機能（UE capability）等、端末装置に関する情報を端末装置から受信する。言い換えると、端末装置は、自身の機能を基地局装置に上位層の信号で送信する。
【０１３６】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【０１３７】
例えば、端末装置が所定の機能をサポートする場合、その端末装置は、その所定の機能をサポートするかどうかを示す情報（パラメータ）を送信する。端末装置が所定の機能をサポートしない場合、その端末装置は、その所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知しても良い。
【０１３８】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、または上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【０１３９】
スケジューリング部１０１２は、物理チャネル（PDSCHおよびPUSCH）を割り当てる周波数およびサブフレーム、物理チャネル（PDSCHおよびPUSCH）の符号化率および変調方式（あるいはMCS）および送信電力などを決定する。スケジューリング部１０１２は、決定した情報を制御部１０２に出力する。
【０１４０】
スケジューリング部１０１２は、スケジューリング結果に基づき、物理チャネル（PDSCHおよびPUSCH）のスケジューリングに用いられる情報を生成する。スケジューリング部１０１２は、生成した情報を制御部１０２に出力する。
【０１４１】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【０１４２】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【０１４３】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【０１４４】
下りリンク参照信号生成部１０３３は、基地局装置１Ａを識別するための物理セル識別子（PCI、セルID）などを基に予め定められた規則で求まる、端末装置２Ａが既知の系列を下りリンク参照信号として生成する。
【０１４５】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【０１４６】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１４７】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【０１４８】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１４９】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行ない、周波数領域の信号を抽出し多重分離部１０４２に出力する。
【０１５０】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【０１５１】
また、多重分離部１０４２は、ＰＵＣＣＨとＰＵＳＣＨの伝搬路の補償を行なう。また、多重分離部１０４２は、上りリンク参照信号を分離する。
【０１５２】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１５３】
復号部１０４４は、復調されたＰＵＣＣＨとＰＵＳＣＨの符号化ビットを、予め定められた符号化方式の、予め定められた、または自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１５４】
図３は、本実施形態における端末装置２の構成を示す概略ブロック図である。図３に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１５５】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１５６】
上位層処理部２０１は、自端末装置がサポートしている端末装置の機能を示す情報を、送信部２０３に出力する。
【０１５７】
無線リソース制御部２０１１は、自端末装置の各種設定情報の管理をする。また、無線リソース制御部２０１１は、上りリンクの各チャネルに配置される情報を生成し、送信部２０３に出力する。
【０１５８】
無線リソース制御部２０１１は、基地局装置から送信されたＣＳＩフィードバックに関する設定情報を取得し、制御部２０２に出力する。
【０１５９】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１６０】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１６１】
制御部２０２は、チャネル状態情報生成部２０５が生成したＣＳＩを基地局装置に送信するように送信部２０３を制御する。
【０１６２】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。
【０１６３】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１６４】
また、無線受信部２０４１は、変換したディジタル信号からＣＰに相当する部分を除去し、ＣＰを除去した信号に対して高速フーリエ変換を行ない、周波数領域の信号を抽出する。
【０１６５】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１６６】
信号検出部２０４３は、ＰＤＳＣＨ、チャネル推定値を用いて、信号検出し、上位層処理部２０１に出力する。
【０１６７】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１６８】
符号化部２０３１は、上位層処理部２０１から入力された上りリンク制御情報を畳み込み符号化、ブロック符号化等の符号化を行なう。また、符号化部２０３１は、ＰＵＳＣＨのスケジューリングに用いられる情報に基づきターボ符号化を行なう。
【０１６９】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１７０】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１７１】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１７２】
無線送信部２０３５は、多重された信号を逆高速フーリエ変換（Inverse Fast Fourier Transform: IFFT）して、ＳＣ−ＦＤＭＡ方式の変調を行ない、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１７３】
本発明の一態様に関わる装置で動作するプログラムは、本発明の一態様に関わる上述した実施形態の機能を実現するように、Ｃｅｎｔｒａｌ  Ｐｒｏｃｅｓｓｉｎｇ  Ｕｎｉｔ（CPU）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（RAM）などの揮発性メモリに読み込まれ、あるいはフラッシュメモリなどの不揮発性メモリやＨａｒｄ  Ｄｉｓｋ  Ｄｒｉｖｅ（HDD）に格納され、必要に応じてＣＰＵによって読み出し、修正・書き込みが行なわれる。
【０１７４】
なお、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１７５】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また、上記プログラムは、前述した機能の一部を実現するためのものであっても良く、さらに前述した機能をコンピュータシステムにすでに記録されているプログラムとの組み合わせで実現できるものであっても良い。
【０１７６】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（DSP）、特定用途向け集積回路（ASIC）、フィールドプログラマブルゲートアレイ（FPGA）、またはその他のプログラマブル論理デバイス、ディスクリートゲートまたはトランジスタロジック、ディスクリートハードウェア部品、またはこれらを組み合わせたものを含んで良い。汎用用途プロセッサは、マイクロプロセッサであっても良いし、従来型のプロセッサ、コントローラ、マイクロコントローラ、またはステートマシンであっても良い。前述した電気回路は、デジタル回路で構成されていても良いし、アナログ回路で構成されていても良い。また、半導体技術の進歩により現在の集積回路に代替する集積回路化の技術が出現した場合、当該技術による集積回路を用いることも可能である。
【０１７７】
なお、本願発明は上述の実施形態に限定されるものではない。実施形態では、装置の一例を記載したが、本願発明は、これに限定されるものではなく、屋内外に設置される据え置き型、または非可動型の電子機器、例えば、ＡＶ機器、キッチン機器、掃除・洗濯機器、空調機器、オフィス機器、自動販売機、その他生活機器などの端末装置もしくは通信装置に適用出来る。
【０１７８】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の一態様の技術的範囲に含まれる。また、上記各実施形態に記載された要素であり、同様の効果を奏する要素同士を置換した構成も含まれる。
【産業上の利用可能性】
【０１７９】
本発明は、基地局装置、端末装置および通信方法に用いて好適である。【０１８０】
なお、本国際出願は、２０１６年９月２９日に出願した日本国特許出願第２０１６−１９１０５０号に基づく優先権を主張するものであり、日本国特許出願第２０１６−１９１０５０号の全内容を本国際出願に援用する。
【符号の説明】
【０１８１】
１Ａ  基地局装置
２Ａ、２Ｂ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
0006789305.tif 000002
【図２】
0006789305.tif 000003
【図３】
0006789305.tif 000004